(57)【特許請求の範囲】
【請求項１】
景品を吊り上げる天井走行クレーンの景品吊上装置（３）が、
開閉爪装置（３５）と、
その上端が天井を水平二軸方向に走行し得るキャリッジ（２１）に結合され、上下方向に伸縮し、下端に開閉爪装置（３５）を支持するパンタグラフ型リンク機構（３１）と、
そのパンタグラフ型リンク機構（３１）の伸縮方向に設けられ、開閉爪装置（３５）を懸垂し昇降させるワイヤ（３２）と、
そのワイヤ（３２）を巻き上げ及び巻き戻すワイヤドラム（３３）と、
そのワイヤドラム（３３）を回転駆動する装置（３４）とから成るクレーンゲーム機（１）。
【発明の詳細な説明】
【０００１】
【発明の属する技術分野】
本発明は、クレーンゲーム機、特に、安価に提供できる景品吊上装置を具備するクレーンゲーム機に関する。
【０００２】
【従来の技術】
従来公知のクレーンゲーム機の景品吊上装置は、開閉爪装置を単にワイヤで吊り下げるだけのものであったため、開閉爪装置が昇降する際、それが揺動し、そのためプレーヤーの思い通りの景品が掴めなくなるという問題があった。
この問題を解決するため、例えば、実公平７−１３７５６号に開示された景品吊上装置がある。
【０００３】
この景品吊上装置は、開閉爪装置を入れ子式の伸縮パイプを介して吊り下げるものであるが、このような伸縮パイプは、直径の異なる数種類のパイプを組み合わせるものであるため、高精度にパイプを製造しなければならず、また、伸縮パイプ自体の重量も大きくなるので、伸縮に高出力の動力を使用しなければならならず、製造コストと消費電力コストが嵩むという問題があった。
【０００４】
また、外パイプの内部で内パイプがスライドするものなので、両者の間に潤滑油を差す必要があり、さらに、内パイプの外面に付着している潤滑油に埃が堆積すると外見が極めて悪くなるので、潤滑油を差すときなどに内パイプ外面を清掃する必要がある。
このため、この種の景品吊上装置においては、定期的なメンテナンスが必要であり、運用コストが嵩むという問題があった。
【０００５】
また、このようなメンテナンスを怠ると、内パイプの外面に多数の傷が付いて外見が悪くなり、さらには、滑らかに伸縮しなくなり、修理が必要になるという問題があった。
さらに、伸縮パイプは、運送や景品の入替時のちょっとした衝撃でも変形し、円滑に伸縮しなくなるという問題があった。
【０００６】
【発明が解決しようとする課題】
本発明は上記の問題を解決するためなされたものであり、その目的とするところは、故障し難く、低コストで提供できる景品吊上装置を具備するクレーンゲーム機を提供することにある。
【０００７】
【課題を解決するための手段】
上記の目的は、天井を水平二軸方向に走行し得るキャリッジから開閉爪装置を吊り下げる際、パンタグラフ型リンク機構とワイヤから成る装置を用い、開閉爪装置の昇降に追従してパンタグラフ型リンク機構が伸縮するようにすることによって達成される。
【０００８】
【発明の実施の形態】
以下、図面により本発明の詳細を説明する。
図１は本発明に係るクレーンゲーム機の一実施例を示す正面図、図２は図１に示した景品吊上装置の構成を示す正面図、図３は図２に示したパンタグラフ型リンク機構の降下状態を示す正面図、図４は図３に示したパンタグラフ型リンク機構の側面図である。
図中、１はクレーンゲーム機、２は水平移動装置、３は景品吊上装置である。
【０００９】
このクレーンゲーム機１は、図１に示したように、上半分にゲーム領域を具備し、正面の操作パネル１０上のボタンを操作してゲーム領域に置かれている景品を吊り上げてプレイするものである。
水平移動装置２は、Ｙ軸レール２０と、キャリッジ２１と、図示しないＸ軸レール及び駆動機構とから成る。
【００１０】
図示しないＸ軸レールは、ゲーム領域の上部の前部及び後部にそれぞれ左右方向に水平に固定されている。
Ｙ軸レール２０は、上記Ｘ軸レールに、両Ｘ軸レールを結ぶ前後方向に配される二本の平行な円筒管であって、Ｘ軸レールに沿って前後に平行移動自在に支持され、図示しない駆動装置によって前後に平行移動制御される。
キャリッジ２１は箱状であり、二本のＹ軸レール２０に沿って移動自在に設けられ、図示しない駆動装置によって移動せしめられる。
【００１１】
景品吊上装置３はキャリッジ２１の下面に設けられ、ブラケット３０と、パンタグラフ型リンク機構３１と、ワイヤ３２と、ワイヤドラム３３と、駆動装置３４と、開閉爪装置３５とから成る。
ブラケット３０は断面コの字型の金具であり、一方の脚がキャリッジ２１の下面と接するようにキャリッジ２１に固定され、他の一方の脚にはパンタグラフ型リンク機構３１の一端が取り付けられ、その両脚の間にはワイヤドラム３３と、駆動装置３４とが設けられる。
【００１２】
パンタグラフ型リンク機構３１は、伸縮部３１０と、伸縮部３１０の両端に設けられる保持部材３１１、３１２とから成る。
伸縮部３１０は、複数の、細長いプレート３１００、長手の連結ピン３１０１及び短い支軸３１０２と、接続プレート３１０３とから成る。
プレート３１００は、両端近く及び中央に軸孔を有する。
接続プレート３１０３は、プレート３１００の略半分の長さで、両端近くに軸孔を有する。
【００１３】
以下、伸縮部３１０の組立方法を示す。
まず、このプレート３１００を二枚、中央の軸孔が重なるよう十字状に重ね、その軸孔を短い支軸３１０２で回動自在に留め、これと同じものを多数作る。
次に、十字状に留められたプレート３１００の端部を、図３に示したように重ねてその軸孔を重ね、軸孔に連結ピン３１０１の一端を通してプレート３１００を回動自在に連結すると共に、連結ピン３１０１の他の一端でも同様にして十字状に留められたプレート３１００を連結し、それが所要の長さになるまで連結する。
そして、この伸縮部３１０の両端部分には、図３に示したように連結ピン３１０１で接続プレート３１０３が連結される。
【００１４】
保持部材３１１、３１２は、それぞれ伸縮部３１０の端部を挟んで対向し得る一対の脚部を有する断面コの字型の金具であり、その脚部に、伸縮部３１０の最外端の支軸３１０２を受けるための軸孔を有する。
この保持部材３１１、３１２は、その軸孔が伸縮部３１０の最外端の軸孔に重なるように配され、それらを支軸３１０２で接続することにより、伸縮部３１０に取り付けられる。
一方の保持部材３１１は、ブラケット３０の下面に固定され、他方の保持部材３１２には、開閉爪装置３５が取り付けられる。
【００１５】
ワイヤドラム３３は、ブラケット３０の上側の脚に設けた支持装置により回動自在に支持されており、それから引き出されたワイヤ３２は、下側の一方の脚及び上方の保持部材３２０に設けられた挿通孔を通して、パンタグラフ型リンク機構３１の中央に垂下され、その下端が下方の保持部材３２１に接合される。
駆動装置３４は、モーター３４０、歯車３４１及び３４２などから成り、ワイヤドラム３３を回転駆動するものであり、これにより、ワイヤ３２を巻き上げ及び巻き戻し、開閉爪装置３５を昇降制御する。
【００１６】
このクレーンゲーム機１において、パンタグラフ型リンク機構３１は、開閉爪装置３５が上昇位置にあるときは、図２に示したように収縮し、下降する従って徐々に伸長し、図３及び図４に示したようになるものである。
而して、本発明の要旨は、景品吊上装置３の開閉爪装置３５の昇降に追従してパンタグラフ型リンク機構３１が伸縮するようにし、景品吊上用の開閉爪装置３５が下降して景品に触れたときでも揺れたり傾いたりしないようにすることにある。
【００１７】
従って、本発明は叙上の実施例に限定されるものではなく、例えば、ワイヤはパンタグラフ型リンク機構の外側を垂下するようにしてもよく、また、パンタグラフ型リンク機構と、キャリッジ及び開閉爪装置との接続方法は種々の変更が可能であり、プレートや保持部材、ワイヤドラムや水平移動装置を構成する部材等の形状や配置は本発明の範囲内で適宜に変更できるものであり、本発明は上記の説明から当業者が容易に想到し得る総ての変更実施例を包摂するものである。
【００１８】
【発明の効果】
本発明に係るクレーンゲーム機は叙上の如く構成されるので、本発明によるときは、景品吊上装置に高価で故障し易く、手入れが面倒な伸縮パイプを使用せずに済み、製造コスト及び運用コストを低く抑えることができる。
【図面の簡単な説明】
【図１】本発明に係るクレーンゲーム機の一実施例を示す正面図である。
【図２】図１に示した景品吊上装置の構成を示す正面図である。
【図３】図２に示したパンタグラフ型リンク機構の降下状態を示す正面図である。
【図４】図３に示したパンタグラフ型リンク機構の側面図である。
【符号の説明】
１・・・・・・クレーンゲーム機
１０・・・・・操作パネル
２・・・・・・水平移動装置
２０・・・・・Ｙ軸レール
２１・・・・・キャリッジ
３・・・・・・景品吊上装置
３０・・・・・ブラケット
３１・・・・・パンタグラフ型リンク機構
３１０・・・・伸縮部
３１００・・・プレート
３１０１・・・連結ピン
３１０２・・・支軸
３１０３・・・接続プレート
３１１・・・・保持部材
３１２・・・・保持部材
３２・・・・・ワイヤ
３３・・・・・ワイヤドラム
３４・・・・・駆動装置
３４０・・・・モーター
３４１・・・・歯車
３４２・・・・歯車
３５・・・・・開閉爪装置
【図１】
0003700875.tif 000002
【図２】
0003700875.tif 000003
【図３】
0003700875.tif 000004
【図４】
0003700875.tif 000005